(57)【特許請求の範囲】
【請求項１】
走行体の支持構造部材を形成する支持フレームと、該支持フレーム上に取付けられ床面、前，後と左，右の側面および天面によって居住空間を画成するキャブと、前記床面上に位置して該キャブ内に設けられオペレータが着座する運転席と、該運転席の後側に位置して前記床面上に設けられ前記キャブ内の居住空間に調和空気を供給する空調装置の室内機と、前記キャブ内に設けられた各種の電気部品とを備えてなる建設機械において、
前記キャブ内には、前記室内機の上側位置に水平状態で配置され前記各電気部品が取付けられる電気部品取付台を設け、
該電気部品取付台は、前記室内機の上側に位置して常時は互いに接続され、前記室内機の点検、整備作業を行う場合に互いに分離することができる複数個の台座部材と、上端が該各台座部材のうち少なくとも１個の台座部材に設けられ、下端が前記キャブの床面に着脱可能に取付けられる脚部材とによって構成し、
前記各台座部材のうち前記１個の台座部材と異なる他の台座部材は、前記室内機の一部を構成する送風ファンを上側から覆うと共に、該送風ファンの点検、整備を行うときに前記１個の台座部材から取外すことができる構成としたことを特徴とする建設機械。
【請求項２】
前記キャブには、左，右の側面の内側面に位置して前記電気部品取付台の台座部材を取付けるための左，右のブラケットを設け、
前記台座部材は、ねじ部材を用いて前記左，右のブラケット間に取付ける構成としてなる請求項１に記載の建設機械。
【請求項３】
前記電気部品は、各種センサ、ライト、制御弁を含む電気部品を作動させるためのリレー群、空調装置を制御するための空調装置コントローラ、機体の情報をネットワークを介して伝えるための通信端末のうちの少なくとも１つである請求項１または２に記載の建設機械。
【請求項４】
前記走行体は、自走可能な下部走行体と、該下部走行体上に旋回可能に搭載された上部旋回体とからなり、前記支持フレームは前記上部旋回体の旋回フレームである請求項１，２または３に記載の建設機械。
【発明の詳細な説明】
【技術分野】
【０００１】
本発明は、キャブ内に空調装置の室内機や各種の電気部品を備えた油圧ショベル等の建設機械に関する。
【背景技術】
【０００２】
一般に、建設機械の代表例である油圧ショベルは、自走可能な下部走行体と、該下部走行体上に旋回可能に搭載された上部旋回体と、該上部旋回体の前側に俯仰動可能に設けられた作業装置とによって構成されている。
【０００３】
また、上部旋回体は、支持構造部材を形成する旋回フレームと、該支持フレーム上に取付けられ床面、前，後と左，右の側面および天面によって居住空間を画成するキャブと、前記床面上に位置して該キャブ内に設けられオペレータが着座する運転席と、該運転席の後側に位置して前記床面上に設けられ前記キャブ内の居住空間に調和空気を供給する空調装置の室内機とを備えている。また、キャブ内には制御等に関する各種の電気部品も配設されている。
【０００４】
ここで、キャブ内には、運転席、各種レバー、ペダル、室内機等の多くの部材を配置しているから、電気部品を配置するためのスペースを確保するのが難しい。そこで、例えば室内機の上側のスペースを利用し、この位置に各電気部品を配設している。即ち、キャブ内の後側に配設された室内機を覆う支持台を設け、この支持台上のスペースに電気部品を搭載する構成としている（例えば、特許文献１参照）。
【先行技術文献】
【特許文献】
【０００５】
【特許文献１】特開２０００−１７０２０９号公報
【発明の概要】
【発明が解決しようとする課題】
【０００６】
ところで、上述した特許文献１によるものでは、室内機を覆うように支持台を設けているから、この室内機を点検したり、整備したりするときには、障害となる支持台を取外さなくてはならない。この場合、キャブ内は狭いために、室内機を覆う大きな支持台の脱着作業に多大な手間を要してしまう。しかも、支持台を取外す場合には、当該支持台上に搭載された多くの電気部品を取外したり、電気配線を切り離したりしなくてはならず、この取外し作業、切り離し作業、その後の取付作業、接続作業にも手間を要してしまうという問題がある。
【０００７】
本発明は上述した従来技術の問題に鑑みなされたもので、本発明の目的は、室内機の点検、整備を行う場所に合わせて作業スペースを形成でき、室内機を点検、整備するときの作業性を向上できるようにした建設機械を提供することにある。
【課題を解決するための手段】
【０００８】
本発明による建設機械は、走行体の支持構造部材を形成する支持フレームと、該支持フレーム上に取付けられ床面、前，後と左，右の側面および天面によって居住空間を画成するキャブと、前記床面上に位置して該キャブ内に設けられオペレータが着座する運転席と、該運転席の後側に位置して前記床面上に設けられ前記キャブ内の居住空間に調和空気を供給する空調装置の室内機と、前記キャブ内に設けられた各種の電気部品とを備えている。
【０００９】
そして、上述した課題を解決するために、請求項１の発明が採用する構成の特徴は、前記キャブ内には、前記室内機の上側位置に水平状態で配置され前記各電気部品が取付けられる電気部品取付台を設け、該電気部品取付台は、前記室内機の上側に位置して常時は互いに接続され、前記室内機の点検、整備作業を行う場合に互いに分離することができる複数個の台座部材と、上端が該各台座部材のうち少なくとも１個の台座部材に設けられ、下端が前記キャブの床面に着脱可能に取付けられる脚部材とによって構成し、前記各台座部材のうち前記１個の台座部材と異なる他の台座部材は、前記室内機の一部を構成する送風ファンを上側から覆うと共に、該送風ファンの点検、整備を行うときに前記１個の台座部材から取外すことができる構成としたことにある。
【００１０】
請求項２の発明は、前記キャブには、左，右の側面の内側面に位置して前記電気部品取付台の台座部材を取付けるための左，右のブラケットを設け、前記台座部材は、ねじ部材を用いて前記左，右のブラケット間に取付ける構成としたことにある。
【００１１】
請求項３の発明は、前記電気部品は、各種センサ、ライト、制御弁を含む電気部品を作動させるためのリレー群、空調装置を制御するための空調装置コントローラ、機体の情報をネットワークを介して伝えるための通信端末のうちの少なくとも１つとしたことにある。
【００１２】
請求項４の発明は、前記走行体は、自走可能な下部走行体と、該下部走行体上に旋回可能に搭載された上部旋回体とからなり、前記支持フレームは前記上部旋回体の旋回フレームとしたことにある。
【発明の効果】
【００１３】
請求項１の発明によれば、キャブ内には、空調装置の室内機の上側位置に水平状態で電気部品取付台を設けているから、この電気部品取付台に各種の電気部品を取付けることができる。また、電気部品取付台は、室内機の上側に位置して常時は互いに接続され、室内機の点検、整備作業を行う場合に互いに分離することができる複数個の台座部材と、上端が該各台座部材のうち少なくとも１個の台座部材に設けられ、下端がキャブの床面に着脱可能に取付けられる脚部材とによって構成し、前記各台座部材のうち前記１個の台座部材と異なる他の台座部材は、前記室内機の一部を構成する送風ファンを上側から覆うと共に、該送風ファンの点検、整備を行うときに前記１個の台座部材から取外すことができる構成としている。これにより、室内機の送風ファンの点検、整備作業を行う場合には、電気部品取付台の全体を取外すのではなく、室内機の送風ファンの点検、整備場所に合わせ、この部分を覆っている他の台座部材だけを単独で取外すことができる。
【００１４】
従って、複数個の台座部材のうちの前記１個の台座部材と異なる他の台座部材を取外すだけで、室内機の送風ファンの点検、整備作業を行うための作業スペースを形成することができる。また、１個の台座部材と異なる他の台座部材を取外すだけであり、それぞれの台座部材に搭載している電気部品も少なくなっている。
【００１５】
この結果、個別に取付け、取外しができる複数個の台座部材は、空調装置の室内機の点検、整備を行う場所に合わせ、必要な部分だけを取外すことができる。これにより、分割された小さな台座部材を脱着すればよいから、狭いキャブ内での脱着作業を容易に行うことができ、点検、整備作業の作業性を向上することができる。また、１個の台座部材を取外すだけなので、搭載している電気部品の数も少なく、電気部品の取外し、取付け、電気配線の切り離し、接続等の作業に要する手間も軽減することができ、この点においても作業性を向上できる。
【００１６】
また、電気部品取付台を構成する各台座部材のうち、少なくとも１個の台座部材には脚部材を設けているから、この脚部材によって各台座部材を安定的に支持することができる。また、電気部品として、重量の大きなものも搭載することができる。
【００１７】
請求項２の発明によれば、キャブには、左，右の側面の内側面に位置して電気部品取付台の台座部材を取付けるための左，右のブラケットを設けている。これにより、各台座部材は、ねじ部材を用いて前記各ブラケット間に取付けることができ、剛性をもったキャブに確実に取付けることができる。また、ねじ部材を緩めることで、台座部材を取外すこともできる。
【００１８】
請求項３の発明によれば、電気部品として、各種センサ、ライト、制御弁を含む電気部品を作動させるためのリレー群、空調装置を制御するための空調装置コントローラ、機体の情報をネットワークを介して伝えるための通信端末等を電気部品取付台に取付けることができる。
【００１９】
請求項４の発明によれば、走行体は、自走可能な下部走行体と、該下部走行体上に旋回可能に搭載された上部旋回体とにより構成することができ、支持フレームは上部旋回体の旋回フレームとすることができる。
【図面の簡単な説明】
【００２０】
【図１】本発明の実施の形態に適用される油圧ショベルを示す正面図である。
【図２】図１中のキャブを拡大して示す正面図である。
【図３】キャブ内の構造を図２中の矢示III−III方向からみた横断面図である。
【図４】キャブの後側に配置した空調装置の室内機と電気部品取付台と各種電気部品を示す要部拡大の斜視図である。
【図５】図４中の室内機を単体で示す正面図である。
【図６】室内機を単体で示す平面図である。
【図７】電気部品取付台からキャブボックスを分離した状態を図４と同様位置からみた斜視図である。
【図８】室内機の左側部分を点検、整備するために電気部品取付台の左台座部材等を取外した状態を図４と同様位置からみた斜視図である。
【図９】電気部品取付台をキャブボックスの各ブラケットに取付けた状態で示す外観斜視図である。
【図１０】左台座部材を取外した状態の電気部品取付台を示す外観斜視図である。
【図１１】電気部品取付台を左，右の台座部材と脚部材とに分解した状態で示す分解斜視図である。
【発明を実施するための形態】
【００２１】
以下、本発明の実施の形態に係る建設機械として、クローラ式の油圧ショベルを例に挙げ、図１ないし図１１に従って詳細に説明する。
【００２２】
図１において、１は土砂の掘削作業等に用いられる建設機械としての油圧ショベルである。この油圧ショベル１は、自走可能なクローラ式の下部走行体２と、該下部走行体２上に旋回可能に搭載され、該下部走行体２と共に走行体を構成する上部旋回体３と、該上部旋回体３の前側に俯仰動可能に設けられた作業装置４とにより大略構成されている。
【００２３】
また、上部旋回体３は、支持構造部材を形成する旋回フレーム５と、該旋回フレーム５の左前側に搭載された後述のキャブ８と、該キャブ８の後側に位置して旋回フレーム５に搭載されたエンジン、油圧ポンプ、制御弁等（いずれも図示せず）を覆う建屋カバー６と、前記旋回フレーム５の後部に取付けられたカウンタウエイト７とによって大略構成されている。
【００２４】
８は旋回フレーム５の左前側に搭載されたキャブで、該キャブ８は、オペレータが搭乗して各種操作を行う居住空間を画成するものである。また、キャブ８は、図２、図３に示す如く、後述するフロア部材９とキャブボックス１０とにより構成されている。
【００２５】
９はキャブ８の床面を構成するフロア部材で（図３参照）、該フロア部材９は、前，後方向に長尺な長方形状の板体として形成されている。また、フロア部材９は、その四隅等が防振マウント（図示せず）を介して旋回フレーム５に支持されている。さらに、フロア部材９のほぼ中央位置には運転席台座（図示せず）が設けられ、該運転席台座上には後述の運転席１４が設けられている。
【００２６】
１０はフロア部材９と共にキャブ８を構成するキャブボックスで、該キャブボックス１０は、フロア部材９上に居住空間を画成するものである。また、キャブボックス１０は、図２、図３等に示すように、前面部１０Ａ、後面部１０Ｂ、左側面部１０Ｃ、右側面部１０Ｄおよび天面部１０Ｅによりボックス状に形成され、周面となる前面部１０Ａ、後面部１０Ｂ、左側面部１０Ｃ、右側面部１０Ｄの下部がフロア部材９の周囲に取付けられている。
【００２７】
また、左，右方向の外側に位置する左側面部１０Ｃには、前，後方向の中間部に位置して上，下方向に延びるセンタピラー１０Ｆが設けられ、該センタピラー１０Ｆの前側にはオペレータが出入りする乗降口１０Ｇが設けられている。この乗降口１０Ｇは、図２に示すように、センタピラー１０Ｆに回動可能に取付けられたドア１０Ｈによって開閉することができる。
【００２８】
ここで、キャブボックス１０には、図４、図７、図８等に示すように、後述する電気部品取付台２０を取付けるための３個のブラケット１１，１２，１３が設けられている。まず、左ブラケット１１は、キャブボックス１０を形成する左側面部１０Ｃ内側面の後側寄りに、右側に向けて突出するように設けられている。また、左ブラケット１１と左，右方向で対向して位置する右ブラケット１２は、右側面部１０Ｄ内側面の後側寄りに、左側に向けて突出するように設けられている。さらに、後ブラケット１３は、後面部１０Ｂ内側面の左，右方向のほぼ中央部に、前側に向けて突出するように設けられている。これらのブラケット１１，１２，１３は、キャブボックス１０に対して一体的に固着してもよく、また、着脱可能にねじ止めする構成としてもよい。
【００２９】
１４はフロア部材９の運転席台座上に設けられた運転席で、該運転席１４はオペレータが着座するものである。また、運転席１４の左，右両側には、図３に示すように、作業装置４等を操作する左，右の作業レバー１５が設けられている。一方、運転席１４の前側となるフロア部材９の前部には下部走行体２を走行させるための左，右の走行レバー（ペダル）１６が配設されている。さらに、運転席１４の周囲には、作業情報を表示するモニタ、各種切換スイッチ、エンジンのスタータスイッチ等（いずれも図示せず）が配設されている。
【００３０】
１７はキャブ８内に位置してフロア部材９上に設けられた空調装置の室内機を示している。この室内機１７は、所望の温度に調整した冷風または温風を調和空気としてキャブ８内の居住空間に吹き出すことにより、キャブ８内をオペレータが望む温度環境に調整するものである。また、室内機１７は、左，右方向に延びる横置き状態でフロア部材９の後部に設けられている。そして、室内機１７は、図５、図６、図７に示す如く、左，右方向に延びる箱体状に形成されたハウジング１８と、例えば該ハウジング１８の左側に内蔵された電動式の送風ファン１９と、冷風を発生するエバポレータと、温風を発生するヒータコア、風向を切換える切換板（いずれも図示せず）とにより大略構成され、室内機１７はエンジン側に設けられるコンデンサ、コンプレッサ等からなる室外機（図示せず）と接続されている。
【００３１】
また、室内機１７の外形をなすハウジング１８には、送風ファン１９が設けられた左側位置に、前方に開口する内気流入口１８Ａと左方に開口する外気流入口１８Ｂとが設けられている。一方、ハウジング１８の右側には、前方に開口する足元吹出口１８Ｃ、上方に開口する後方吹出口１８Ｄ、右方に開口する前方吹出口１８Ｅ等が設けられ、それぞれにダクト（図示せず）が接続されている。
【００３２】
さらに、送風ファン１９は、電動モータと該電動モータによって回転駆動される回転翼とにより構成されている。ここで、送風ファン１９の電動モータと回転翼は、高速で回転するものであるから、定期的に点検、整備等を行うことが望ましい。
【００３３】
２０はキャブ８内に設けられた本実施の形態による電気部品取付台を示している。この電気部品取付台２０は、図４に示す如く、室内機１７の上側のスペースを利用して後述のリレーボックス２５、空調装置コントローラ２６、通信端末２７を配設するために、キャブ８内に取付け、取外し可能に設けられている。この電気部品取付台２０は、図３、図４、図７〜図１１に示すように、室内機１７の上側位置に水平状態をなすように左，右方向に延びて設けられ互いに接続、分離可能な後述する左，右の台座部材２１，２３と、右台座部材２３の前部に設けられた脚部材２４とにより構成されている。
【００３４】
２１は電気部品取付台２０の左側部分を構成する左台座部材で、該左台座部材２１は、図１１等に示すように、例えば平板状の鋼板を折り曲げることにより強度を有した載置台として形成されている。また、左台座部材２１は、左，右方向の左側部分を上側に向けクランク状に屈曲することにより形成された左取付部２１Ａと、右側の前部分を右方向に延びて設けた右取付部２１Ｂと、後側の右部分を後方向に延びて設けた後取付部２１Ｃとを有している。
【００３５】
そして、左台座部材２１は、図７等に示すように、その左取付部２１Ａを例えばねじ部材としての２本のボルト２２を用いてキャブボックス１０の左ブラケット１１に取付け、後取付部２１Ｃを１本のボルト２２を用いてキャブボックス１０の後ブラケット１３に取付け、右取付部２１Ｂを後述する右台座部材２３の左取付部２３Ａに２本のボルト２２を用いて取付ける構成としている。
【００３６】
これにより、左台座部材２１は、室内機１７の左側部分の上側に取付け、取外し可能に配置されている。即ち、左台座部材２１は、定期的な点検、整備等を必要とする送風ファン１９を上側から覆っており、この左台座部材２１を取外した状態では、図８に示すように、送風ファン１９の点検、整備等を行うための作業スペースを形成することができる。また、左台座部材２１の上側には、後述するリレーボックス２５、空調装置コントローラ２６が取付けられている。
【００３７】
２３は電気部品取付台２０の右側部分を構成する右台座部材である。この右台座部材２３は、図１１等に示すように、例えば左，右方向に長尺な短冊状の鋼板を折り曲げることにより、強度を有した横長な載置台として形成されている。また、右台座部材２３は、左，右方向の左側部分が左取付部２３Ａとなり、右側部分が右取付部２３Ｂとなっている。さらに、右台座部材２３の前部左側には、下側に延びるようにして脚取付部２３Ｃが設けられている。
【００３８】
そして、右台座部材２３は、右取付部２３Ｂをボルト２２を用いてキャブボックス１０の右ブラケット１２に取付ける構成としている。一方、右台座部材２３の左取付部２３Ａには、ボルト２２を用いて左台座部材２１の左取付部２１Ａが着脱可能に取付けられる。さらに、右台座部材２３の脚取付部２３Ｃには、ボルト２２を用いて後述の脚部材２４の台座取付部２４Ｂが着脱可能に取付けられる。
【００３９】
２４はフロア部材９と右台座部材２３との間に設けられた脚部材で、該脚部材２４は、フロア部材９の上方となる所定の高さ位置で水平状態を維持するように右台座部材２３の左側部分を支えるものである。また、脚部材２４は、上，下方向に延びた下端部分がフロア取付部２４Ａとなり、上端部分が台座取付部２４Ｂとなっている。そして、脚部材２４は、室内機１７よりも前側に配置され、下端のフロア取付部２４Ａをフロア部材９にボルト２２を用いて取付け、上端の台座取付部２４Ｂを右台座部材２３の脚取付部２３Ｃにボルト２２を用いて取付ける構成としている。
【００４０】
これにより、右台座部材２３は、左側部分を脚部材２４によって支持した状態で、室内機１７の右側部分の上側に取付け、取外し可能に配置することができる。この場合、室内機１７の右側部分は、ハウジング１８の各吹出口１８Ｃ，１８Ｄ，１８Ｅとなっているから、点検や整備を行うことも少なく、脚部材２４を取外すことは稀である。また、脚部材２４は、各台座部材２１，２３を安定的に支持することができ、該各台座部材２１，２３上には重量の大きなものを搭載することができる。
【００４１】
このように構成した電気部品取付台２０は、その左台座部材２１と右台座部材２３とを分離して別個に取外すことができ、点検や整備を行う頻度が高い室内機１７の左側部分（送風ファン１９）を覆っている左台座部材２１を容易に脱着できるようにしている。具体的には、右台座部材２３の左取付部２３Ａの上側に左台座部材２１の右取付部２１Ｂを取付けると共に、この右台座部材２３に脚部材２４を取付ける構成としている。これにより、左台座部材２１は、その左取付部２１Ａをキャブボックス１０の左ブラケット１１に取付けている２本のボルト２２と、後取付部２１Ｃを後ブラケット１３に取付けている１本のボルト２２と、右取付部２１Ｂを右台座部材２３の左取付部２３Ａに取付けている２本のボルト２２とを緩めることにより、右台座部材２３と別個に取外すことができる。
【００４２】
２５はキャブ８内に位置して電気部品取付台２０の左台座部材２１上に設けられた電気部品としてのリレーボックスである。このリレーボックス２５は、レバー１５，１６の動作、作動油の温度、流量等を検出する各種センサ、エンジンのスタータモータ、ライト、ラジオ、ワイパ、電磁制御式の制御弁等の電気部品を作動させるための多くのリレー（図示せず）を内蔵したリレー群を構成している。また、リレーボックス２５内の各リレーには、それぞれに電気配線（図示せず）が接続されている。
【００４３】
２６は電気部品としての空調装置コントローラで、該空調装置コントローラ２６は、リレーボックス２５の右側に位置して左台座部材２１上に設けられている。また、空調装置コントローラ２６は、室内機１７と室外機とからなる空調装置を、オペレータが設定した条件、外気温等の作業環境に応じて制御するものである。また、空調装置コントローラ２６は、電気配線を介して室内機１７、室外機と接続されている。
【００４４】
２７は右台座部材２３上に設けられた電気部品としての通信端末である。この通信端末２７は、人工衛星を用いた衛星通信等のネットワークを利用し、油圧ショベル１の情報（稼働時間、メンテナンス情報、位置情報等）を伝えるものである。また、通信端末２７は、電気配線を介して電源、各種センサ等に接続されている。
【００４５】
本実施の形態による油圧ショベル１は上述の如き構成を有するもので、次に、その動作について説明する。
【００４６】
まず、オペレータは、キャブ８に搭乗し、走行レバー１６を操作することにより、下部走行体２を前進または後退させることができる。一方、キャブ８内のオペレータは、作業レバー１５を操作することにより、作業装置４を俯仰動させて土砂の掘削作業等を行うことができる。
【００４７】
次に、空調装置を構成する室内機１７の送風ファン１９を点検、整備する場合について述べる。
【００４８】
キャブ８内に乗込んだ作業者は、左台座部材２１上に設けられたリレーボックス２５と空調装置コントローラ２６を取外す。その後に、左台座部材２１の左取付部２１Ａをキャブボックス１０の左ブラケット１１に取付けている２本のボルト２２と、後取付部２１Ｃを後ブラケット１３に取付けている１本のボルト２２と、右取付部２１Ｂを右台座部材２３の左取付部２３Ａに取付けている２本のボルト２２とを緩める。これにより、図１０に示すように、左台座部材２１を単独で取外すことができる。
【００４９】
このように、右台座部材２３をキャブ８側に残した状態で、左台座部材２１だけを取外すことにより、電気部品取付台２０の全体ではなく、比較的に小さな左台座部材２１を取外すことになるから、狭いキャブ８内でも容易に取外すことができ、取付けることもできる。
【００５０】
そして、左台座部材２１を取外すことにより、図８に示す如く、室内機１７の左側を露出させ、送風ファン１９の周囲に作業用のスペースを形成することができる。これにより、作業者は、送風ファン１９を構成する電動モータ、回転翼等を点検、整備することができる。また、交換作業を行うことができる。
【００５１】
かくして、本実施の形態によれば、キャブ８内には、空調装置の室内機１７の上側位置に電気部品取付台２０を水平状態で配置しているから、この電気部品取付台２０の上側にリレーボックス２５、空調装置コントローラ２６、通信端末２７等の電気部品を取付けることができる。
【００５２】
しかも、電気部品取付台２０は、室内機１７のうち、例えば点検、整備を行う送風ファン１９が設けられた左側部分を覆う左台座部材２１を、右台座部材２３、脚部材２４と別個に単体で取外せるようにしている。
【００５３】
従って、電気部品取付台２０は、左，右の台座部材２１，２３のうち、左台座部材２１を取外すだけで、室内機１７の送風ファン１９の点検、整備作業を行うための作業スペースを確保することができる。また、１個の左台座部材２１を取外すだけなので、搭載している電気部品もリレーボックス２５と空調装置コントローラ２６の２個だけである。
【００５４】
この結果、互いに接続、分離可能な左，右の台座部材２１，２３は、室内機１７の送風ファン１９の点検、整備を行う場所に合わせ、必要な部分だけ、即ち、左台座部材２１だけを取外すことができる。これにより、分割された小さな左台座部材２１を脱着すればよいから、狭いキャブ８内での脱着作業を容易に行うことができ、点検、整備作業の作業性を向上することができる。
【００５５】
また、１個の左台座部材２１を取外すだけなので、このときに取外す電気部品もリレーボックス２５と空調装置コントローラ２６だけであるから、電気部品の取外し、取付け、電気配線の切り離し、接続等の作業に要する手間も軽減することができ、この点においても作業性を向上できる。
【００５６】
一方、電気部品取付台２０は、上端が右台座部材２３に設けられ、下端がキャブ８のフロア部材９に着脱可能に取付けられる脚部材２４を備えている。従って、脚部材２４は、各台座部材２１，２３を安定的に支持することができる。また、電気部品として、重量の大きなものも搭載することができる。
【００５７】
さらに、キャブ８のキャブボックス１０の内側面には、電気部品取付台２０の各台座部材２１，２３を取付けるための左ブラケット１１、右ブラケット１２、後ブラケット１３を設ける構成としている。これにより、各台座部材２１，２３は、ボルト２２を用いて各ブラケット１１，１２，１３に取付けることができ、剛性をもったキャブ８に確実に取付けることができる。また、ボルト２２を緩めることで、各台座部材２１，２３を簡単に取外すこともできる。
【００５８】
なお、実施の形態では、電気部品取付台２０を、分離して別個に取外すことができる左，右で２個の台座部材２１，２３と、右台座部材２３とフロア部材９との間に設けられた脚部材２４とにより構成した場合を例に挙げて説明した。しかし、本発明はこれに限らず、例えば電気部品取付台を、左台座部材、右台座部材および中央台座部材の３個に分離可能とし、いずれかの台座部材に脚部材を設ける構成としてもよい。
【００５９】
また、実施の形態では、右台座部材２３に脚部材２４を設け、左台座部材２１を簡単に脱着できるように構成した場合を例示している。しかし、本発明はこれに限るものではなく、例えば点検、整備する場所が室内機の右側部分である場合には、左台座部材に脚部材を設け、右台座部材を簡単に脱着できるように構成してもよい。
【００６０】
また、実施の形態では、右台座部材２３に対しボルト２２を用いて脚部材２４を着脱可能に取付けた場合を例に挙げて説明している。しかし、本発明はこれに限らず、例えば、右台座部材と脚部材とを１枚の鋼板を折り曲げることによって形成してもよい。また、右台座部材と脚部材とを溶接手段等を用いて一体的に固着する構成としてもよい。
【００６１】
さらに、実施の形態では、建設機械として、クローラ式の油圧ショベル１を例に挙げて説明した。しかし、本発明はこれに限るものではなく、ホイール式の油圧ショベルに適用してもよい。それ以外にも、ホイールローダ、油圧クレーン等の他の建設機械にも広く適用することができる。
【符号の説明】
【００６２】
１  油圧ショベル（建設機械）
２  下部走行体（走行体）
３  上部旋回体（走行体）
５  旋回フレーム（支持フレーム）
８  キャブ
９  フロア部材
１０  キャブボックス
１０Ａ  前面部
１０Ｂ  後面部
１０Ｃ  左側面部
１０Ｄ  右側面部
１０Ｅ  天面部
１１  左ブラケット
１２  右ブラケット
１３  後ブラケット
１４  運転席
１７  室内機
１９  送風ファン
２０  電気部品取付台
２１  左台座部材
２２  ボルト（ねじ部材）
２３  右台座部材
２４  脚部材
２５  リレーボックス（電気部品）
２６  空調装置コントローラ（電気部品）
２７  通信端末（電気部品）
【図１】
0005384454.tif 000002
【図２】
0005384454.tif 000003
【図３】
0005384454.tif 000004
【図４】
0005384454.tif 000005
【図５】
0005384454.tif 000006
【図６】
0005384454.tif 000007
【図７】
0005384454.tif 000008
【図８】
0005384454.tif 000009
【図９】
0005384454.tif 000010
【図１０】
0005384454.tif 000011
【図１１】
0005384454.tif 000012